(57)【特許請求の範囲】
【請求項１】
パチンコ本体と、それをヒンジを介して組込んだ台枠とからなるパチンコ台アセンブリを遊技場の島枠構造に取付けるに際し、
前記パチンコ本体を台枠から取外さずに、前記パチンコ台アセンブリの状態のまま前記島枠構造に嵌め込み、その後にパチンコ本体をヒンジを介して開いて固定及び角度調整させるパチンコ台取付装置であって、
該パチンコ台取付装置は、島上部枠構造に固定する左右一組の上部取付装置と、島下部枠構造の上面部に固定する左右一組の下部取付装置とからなり、
前記上部取付装置は、島上部枠構造の後面にネジ留め固定させるスライドベースと、
スライドベースの固定用垂直面底部の底面中央開口の両側にリベット固定され島上部枠構造の下面にネジ留め固定させる２枚のベースレールと、
スライドベースの固定用垂直面の縦長小判穴とスライドボルト支持用垂直面に形成された縦長穴にボルトハンガーで前後移動が規制され上下方向に移動可能に保持したスライドボルトと、
スライドボルトに螺合されスライドベースの底面中央開口に吊下げ状態で取付けられスライドボルトの回転により前後に移動可能なスライドタップと、
スライドタップに溶接固定され、島上部枠構造に挿入された台枠上板を上側から押さえるグリップベースと、
グリップベースの下部に固定され、台枠上板を下側から押圧してグリップするグリップアーム及びそれを回動させるグリップ機構とから構成され、
前記下部取付装置は、島下部枠構造の上面にネジ留め固定させる固定ベースと、台枠下板の後端と当接させ島下部枠構造へのはめ込み位置を調節するウェルドボルトと、
台枠下板を島下部枠構造へ押圧固定するプッシュアーム及びそれを回動させるグリップ機構とから少なくとも構成され、
上部取付装置及び下部取付装置のグリップ機構をロックすることにより台枠が島枠構造に固定された状態で、前記スライドボルトを回転させればスライドタップが移動され台枠上板が前後することによりパチンコ台アセンブリの傾斜を調整することができることを特徴とするパチンコ台取付装置。  
【請求項２】
前記グリップ機構は、グリップベース下面または固定ベース上面に溶接固定されたボデーと、
前記ボデー先端近傍にピンで回動中心端が軸支されたグリップアームまたはプッシュアームと、
前記ボデーの両側壁中央部に形成された横長穴にピンで一端を軸支されたロック板と、
ロック板の他端とグリップアームまたはプッシュアームの作用端の２箇所に跨りピンでロック可能に取付けられたレバーと、
ロック板を前記ボデーに軸支するピンをボデー後端方向に付勢するコイルバネと、
前記ボデーに軸支されたロック板をボデー先端方向に押圧するラチェットボルトと、
ラチェットボルトを穴端角で螺合する２枚のラチェット板と、
前記ボデー両側板の切込みに嵌められた内壁板とラチェット板の間に配置されラチェット板をボデー後方に付勢して倒す押バネと、から構成し、
ラチェット板の穴端角に螺合したラチェットボルトを回転することによりロック板の回転支点を前後させロックした際のグリップアームまたはプッシュアームの作動距離をグリップする台枠の厚さに合わせるように微調整し、
グリップする台枠の厚さが変わる際には、ラチェット板を垂直に操作しラチェットボルトとの螺合を一旦解除した状態でラチェットボルトを押込み或いは引戻してラチェットボルトの螺合位置を変えてロック板の回転支点を前後させて調整する台枠厚さ調整機能を備えることを特徴とする請求項１記載のパチンコ台取付装置。
【請求項３】
前記グリップベースの先端側下部にはグリップを確実にするための凹凸部が備えられ、一方それに対向するグリップアームの先端にものこぎり波形部が設けられ、対向した凹凸部とのこぎり波形部がレバーにより確実に台枠をグリップする状態とすると共に、
グリップベースの先端の両側にリベット留めされ上向きに付勢された１対の板バネを備え、
台枠挿入時に台枠とグリップベースの衝突を避け確実に島上部枠構造と台枠との間隙に入ると共に、
上下方向に可動の自由度が与えられた前記スライドボルトにスライドタップを介しスライドベースの底面中央開口に吊下げ状態で取付けられたグリップベースが、台枠高さに応じて上下することで自動的にグリップの高さ調整がなされることを特徴とする請求項１記載のパチンコ台取付装置。
【請求項４】
前記下部取付装置のプッシュアームの先端には、同一円周上にリング状刃を有するプッシュ刃を備えるプッシュ部を設けることを特徴とする請求項１記載のパチンコ台取付装置。
【発明の詳細な説明】
【技術分野】
【０００１】
本発明は、パチンコ台アセンブリを島枠構造に取付ける際、ビス、釘を使わず、台枠寸法、厚みの違いに対応し、傾斜角を調節可能なパチンコ台取付装置に関する。
【背景技術】
【０００２】
遊技場は、島と呼ばれる複数のパチンコ台を取り付ける島枠構造が設けられており、パチンコ台を更新する場合、設置されていたパチンコ台を枠構造からはずし、新たなパチンコ台を島枠構造に取付けることがなされていた。
【０００３】
また、枠構造に取付けられるパチンコ台は、設置に際し傾斜測定器を用いて所定の傾斜になるように取付けられる。傾斜を付けてビス、釘で取付ける事は技術的に難しいため木工の専門家に依頼しなければならなかった。
【０００４】
メーカーから出荷されるパチンコ台は、パチンコ本体とヒンジ付の台枠がアセンブリされており、従来のパチンコ台取付装置は、一旦パチンコ本体と分離された台枠のみを枠構造に固定し、その後にパチンコ本体を取付けていた。
【０００５】
特許文献１は、従来、島枠構造にねじ止めや釘止めされていた台枠を、予め島枠構造に固定された取付装置により着脱自在、且つ、傾斜角度を容易に調節可能とする発明である。
【０００６】
しかし、昨今資源のリサイクルを考慮し、従来のパチンコ台の台枠は木製であったが、軽金属（アルミ系）や合成樹脂の台枠に改良され、従来の木製の台枠の厚み寸法（１９ミリ）より薄い（５ミリ〜１８ミリ）台枠のパチンコ台が開発されてきた。このため、木製の台枠を突き刺して保持させる爪構造の取付け装置では固定できない問題が出てきた。また、パチンコ台の更新のたびに厚みの異なる台枠であっても取付け可能な取付装置が必要となった。
【０００７】
このような、木製の台枠に代わる新しい台枠のパチンコ台については、従来の取付装置は材質の違い、厚さ寸法の違いに対応することができなかった。そこで、材質の違いや、台枠の寸法、形状が異なっても使用できるパチンコ台取付装置が求められていた。
【０００８】
また、台枠の高さ寸法については、メーカーにより８０６ｍｍ〜８１０ｍｍの幅があり、さらに台枠を固定する島の枠構造についてもホールにより上下の横桟の高さ寸法も数ミリ単位で異なっていた。
【０００９】
このため、上部の取付装置には、台枠の高さ、枠構造の高さの相違があっても、自動的に調整されて取付け可能な構造が求められていた。
【００１０】
またさらに、パチンコ本体と台枠を外し、一旦パチンコ本体を通路に保管することは、取外し作業の時間のみならず、作業スペースを必要とするため、島の両側への取付作業を並行して進めることが難しいという問題があった。このためアセンブリされた状態のまま、容易に取付け作業を進めることができるパチンコ台取付装置が求められていた。
【００１１】
さらに、取り付け後の傾斜角度の調整を容易に行なえる構造が求められていた。
【００１２】
【特許文献１】特開２００４−８１７６２号公報（第２、３頁、第１図）
【発明の開示】
【発明が解決しようとする課題】
【００１３】
前述の問題に鑑み、メーカー側から出荷されるパチンコ台アセンブリ（パチンコ本体がヒンジ付きの台枠に組み立てられた状態）について、島の枠構造に取り付けるに際して、前記パチンコ本体を台枠から取外すことなく、島枠構造に取付けることができるパチンコ台取付装置を提供する。
【００１４】
さらに、パチンコ台アセンブリの台枠が木材以外、プラスチック或いは金属製であっても、又台枠の厚みが変化（例１９ｍｍ以下、５ｍｍ程度の部材厚さ）しても容易にその厚さに対応したロック機構をネジ、バネにより調整し台枠を完全にグリップさせる機構を提供する。
【００１５】
さらにまた、島枠構造の高さと、台枠の高さの差異があっても、自動的に高さ調整可能な構造を備え、取付け作業効率の良いパチンコ台取付装置を提供する。
【課題を解決するための手段】
【００１６】
前記課題を解決するため、本発明のパチンコ台取付装置は、パチンコ本体と、それをヒンジを介して組込んだ台枠とからなるパチンコ台アセンブリを遊技場の島枠構造に取付けるに際し、前記パチンコ本体を台枠から取外さずに、前記パチンコ台アセンブリの状態のまま前記島枠構造に嵌め込み、その後にパチンコ本体をヒンジを介して開いて固定及び角度調整させるパチンコ台取付装置であって、該パチンコ台取付装置は、島上部枠構造に固定する左右一組の上部取付装置と、島下部枠構造の上面部に固定する左右一組の下部取付装置とからなり、前記上部取付装置は、島上部枠構造の後面にネジ留め固定させるスライドベースと、  スライドベースの固定用垂直面底部の底面中央開口の両側にリベット固定され島上部枠構造の下面にネジ留め固定させる２枚のベースレールと、スライドベースの固定用垂直面の縦長小判穴とスライドボルト支持用垂直面に形成された縦長穴にボルトハンガーで前後移動が規制され上下方向に移動可能に保持したスライドボルトと、スライドボルトに螺合されスライドベースの底面中央開口に吊下げ状態で取付けられスライドボルトの回転により前後に移動可能なスライドタップと、スライドタップに溶接固定され、島上部枠構造に挿入された台枠上板を上側から押さえるグリップベースと、グリップベースの下部に固定され、台枠上板を下側から押圧してグリップするグリップアーム及びそれを回動させるグリップ機構とから構成され、前記下部取付装置は、島下部枠構造の上面にネジ留め固定させる固定ベースと、台枠下板の後端と当接させ島下部枠構造へのはめ込み位置を調節するウェルドボルトと、台枠下板を島下部枠構造へ押圧固定するプッシュアーム及びそれを回動させるグリップ機構とから少なくとも構成され、上部取付装置及び下部取付装置のグリップ機構をロックすることにより台枠が島枠構造に固定された状態で、前記スライドボルトを回転させればスライドタップが移動され台枠上板が前後することによりパチンコ台アセンブリの傾斜を調整することができることを特徴とする。  
【００１７】
また、前記グリップ機構は、グリップベース下面または固定ベース上面に溶接固定されたボデーと、前記ボデー先端近傍にピンで回動中心端が軸支されたグリップアームまたはプッシュアームと、前記ボデーの両側壁中央部に形成された横長穴にピンで一端を軸支されたロック板と、ロック板の他端とグリップアームまたはプッシュアームの作用端の２箇所に跨りピンでロック可能に取付けられたレバーと、ロック板を前記ボデーに軸支するピンをボデー後端方向に付勢するコイルバネと、前記ボデーに軸支されたロック板をボデー先端方向に押圧するラチェットボルトと、ラチェットボルトを穴端角で螺合する２枚のラチェット板と、前記ボデー両側板の切込みに嵌められた内壁板とラチェット板の間に配置されラチェット板をボデー後方に付勢して倒す押バネと、から構成し、ラチェット板の穴端角に螺合したラチェットボルトを回転することによりロック板の回転支点を前後させロックした際のグリップアームまたはプッシュアームの作動距離をグリップする台枠の厚さに合わせるように微調整し、  グリップする台枠の厚さが変わる際には、ラチェット板を垂直に操作しラチェットボルトとの螺合を一旦解除した状態でラチェットボルトを押込み或いは引戻してラチェットボルトの螺合位置を変えてロック板の回転支点を前後させて調整する台枠厚さ調整機能を備えることを特徴とする。
【００１８】
また、前記グリップベースの先端側下部にはグリップを確実にするための凹凸部が備えられ、一方それに対向するグリップアームの先端にものこぎり波形部が設けられ、対向した凹凸部とのこぎり波形部がレバーにより確実に台枠をグリップする状態とすると共に、
グリップベースの先端の両側にリベット留めされ上向きに付勢された１対の板バネを備え、
台枠挿入時に台枠とグリップベースの衝突を避け確実に島上部枠構造と台枠との間隙に入ると共に、
上下方向に可動の自由度が与えられた前記スライドボルトにスライドタップを介しスライドベースの底面中央開口に吊下げ状態で取付けられたグリップベースが、台枠高さに応じて上下することで自動的にグリップの高さ調整がなされることを特徴とする。
【００１９】
また、前記下部取付装置のプッシュアームの先端には、同一円周上にリング状刃を有するプッシュ刃を備えるプッシュ部を設けることを特徴とする。
【発明の効果】
【００２０】
本発明のパチンコ台取付装置は、メーカーから送られてきたパチンコ台アセンブリを、パチンコ本体を台枠から取外すことなく、島枠構造にそのまま取付けることができる。台枠とパチンコ本体の取外しのみならず、パチンコ本体保管の作業スペースを必要としない効率的な交換作業を可能とすることができる。このため、島の両側から平行して作業を進めることができる。
【００２１】
また、島枠構造の高さと、台枠の高さの差を自動調整されるため、島枠構造へのはめ込みを容易に行なうことができる。さらに、取付け後のパチンコ台の傾斜角度の調整を短時間で容易に行なうことができる。
【００２２】
また、グリップする取付装置なので、従来のネジ留、釘打に対して取付、取外しが容易である。加えてそのグリップ機構は台枠の厚さの変化に対応することができる。このため、メーカーによる台枠の厚さ、材質の相違、変更があっても取付け装置の調整で対応することができる。
【発明を実施するための最良の形態】
【００２３】
以下、本発明のパチンコ台取付装置の実施の形態を図面を参照して詳細に説明する。
【００２４】
図１は、本発明のパチンコ台取付装置によりパチンコ台アセンブリを取付け固定した状態を示す模式図である。図において、パチンコ本体１と台枠２をヒンジ２ｄで組み込んだパチンコ台アセンブリ１０の高さ方向は破断線で省略し台枠の上下を固定しているパチンコ台取付装置１００を示している。
【００２５】
図に示すように、パチンコ台アセンブリ１０は、遊技場の島枠構造２０に嵌め込み固定される。この際の島枠構造２０への取付け固定は、島上部枠構造２０ａと、島下部枠構造２０ｂにパチンコ台取付装置１００により固定される。なお、パチンコ本体１が上下のヒンジ２ｄで組み込まれる台枠２は、台枠上板２ａと台枠下板２ｂと両端の台枠側板２ｃからなる額縁状の枠である。
【００２６】
本発明のパチンコ台取付装置１００は、上部取付装置３０と下部取付装置５０とから構成される。尚、図では、側面視であり、上下一対を示しているが、パチンコ台アセンブリ１０の横方向の両端にそれぞれ配置した２台の上部取付装置３０及び下部取付装置５０で構成される。
【００２７】
上部取付装置３０は、スライドベース３１の固定用垂直面３１ｂが島上部枠構造２０ａの後面にネジ留め固定されると共に、図２で説明するベースレール３２が島上部枠構造２０ａの下面にネジ留め固定される。
【００２８】
一方、下部取付装置５０は、固定ベース５１が島下部枠構造２０ｂの上面にネジ留め固定される。これらの島枠構造２０への固定は、パチンコ台アセンブリ１０の取付に先立って予め行なっておく。一旦島枠構造２０へ取付けた上部取付装置３０及び下部取付装置５０は、異なるパチンコ台アセンブリ１０への交換の際には、グリップ機構４０のラチェットボルト４５の調整により本発明の同じ装置を用いることができる。
【００２９】
また、パチンコ台アセンブリ１０の取付け固定は、レバー４３を上下に操作することにより容易に行うことができる。すなわち、上部取付装置３０では、レバーをロック位置まで押上げることで、台枠上板２ａをグリップベース３５とグリップアーム３６の間に挟み込み固定する。
【００３０】
また、下部取付装置５０では、レバー４３をロック位置まで押し下げることでプッシュアーム５３先端のプッシュ部５４が、台枠下板２ｂを島下部枠構造２０ｂに押圧して固定する。
【００３１】
なお、グリップ機構４０は、コイルバネ４４により後方に付勢されているロック板ピン４２ａをラチェットボルト４５の調整により前後させることによりレバー４３の回転支点を間接的に移動させ、グリップアーム３６及びプッシュアーム５３の挟み込む角度（挟む厚さ）を容易に調整する機能を備えている。なお、グリップ機構４０についての詳細構造は後述する。
【００３２】
図２は、本発明の上部取付装置３０の構成を示す正面図である。なお、図１に示す上部取付装置３０に対し、グリップ機構４０の内部構成を示すため、コイルバネ４４を省略し、ボデー４１の手前の側板４１ｂを透視した断面を示す。
【００３３】
上部取付装置３０は、島上部枠構造２０ａの後ろ側面にネジ留め固定させるスライドベース３１と、スライドベース３１の底部裏側３１ｇの両側にリベット固定され島上部枠構造２０ａの下面にネジ留め固定させる２枚のベースレール３２と、
スライドベース３１の固定用垂直面３１ｂとスライドボルト支持用垂直面３１ｃにボルトハンガー３９で前後移動が規制され上下方向に可動可能に保持したスライドボルト３３と、スライドボルト３３に螺合され前後に移動可能なスライドタップ３４と、
スライドタップ３４に溶接固定されたグリップベース３５と、グリップベース３５の下部に固定され、台枠上板２ａを下側から押圧してグリップするグリップアーム３６及びそれを回動させるグリップ機構４０とから構成される。
【００３４】
図３は本発明のスライドベース３１を示し、（ａ）は正面図、（ｂ）左側面図、（ｃ）は右側面図である。図３に示すようにスライドベース３１の９０度に折り曲げられた左方の固定用垂直面３１ｂには、島上部枠構造２０ａの後ろ側面にネジ留めするためのネジ穴と、縦長小判穴３１ｅが設けられ、右方のスライドボルト支持用垂直面３１ｃにはボルトハンガー３９を取り付ける２個のネジ穴と縦長穴３１ｆが設けられている。
【００３５】
図４は、本発明の部品図で、（ａ）はボルトハンガーの平面図、（ｂ）はラチェット板の平面図である。
【００３６】
スライドボルト３３は、ボルト頭部３３ａとネジが形成されたボルト本体との間にワッシャー状のボルトリング３３ｂが形成されており、スライドベース３１の固定用垂直面３１ｂの縦長小判穴３１ｅに先端を差込み、ボルト頭部３３ａ側をスライドボルト支持用垂直面３１ｃの縦長穴３１ｆに差込み、ボルトリング３３ｂとスライドボルト支持用垂直面３１ｃの間に差込み、ネジ留めされたボルトハンガー３９の縦長穴３９ａにより前後移動が規制され、上下方向に可動の自由が与えられた状態で回転可能に取付けられる。
【００３７】
尚、このスライドボルト３３には、この取付け前にスライドタップ３４を、螺合させておく。スライドタップ３４は、四角柱状部品でスライドボルト３３を螺合させるネジ穴３４ａが形成されている。
【００３８】
スライドボルト３３に螺合されたスライドタップ３４は、図３（ｂ）に示したスライドベース３１の底面中央開口３１ｄに吊下げ状態でスライドボルト３３の回転により底面中央開口３１ｄを前後に移動可能にされている。
【００３９】
グリップベース３５は、スライドタップ３４に溶接固定され、島枠構造２０に挿入された台枠上板２ａを上側から押さえると共に、グリップベース３５の下部に溶接固定されたグリップ機構４０により可動ロックされるグリップアーム３６とにより台枠上板２ａをグリップして固定するものである。
【００４０】
グリップベース３５の先端側下部の板中央部にはグリップを確実にするための凹凸部３５ａを設け、グリップベースの先端の板両側にはリベット留めされ上向きに付勢された１対の板バネ３７を設ける。
【００４１】
グリップベース３５の先端の板バネ３７は、上下方向に可動の自由度が与えられた前記スライドボルト３３にスライドタップ３４を介してスライドベース３１の底面中央開口３１ｄに吊下げ状態にあるグリップベース３５の先端と島上部枠構造２０ａの間に位置し、台枠２挿入時に台枠上板２ａとグリップベース３５との衝突を避け確実に島上部枠構造２０ａと台枠２との間隙に誘導するものである。
【００４２】
グリップアーム３６の先端にはこぎり波形部３６ａが設けられ、対向した凹凸部３５ａとのこぎり波形部３６ａが確実に台枠をグリップする状態とする。
【００４３】
さらに、グリップベース３５とそこに固定されたグリップ機構４０は、スライドベース３１の底面中央開口３１ｄに吊下げ状態で取付けられ上下方向に可動の自由度が与えられていることから、挿入された台枠高さに応じて上下することで自動的にグリップの高さ調整がなされる。
【００４４】
次に、前記グリップ機構４０の構成を説明する。
【００４５】
グリップ機構４０は、グリップベース３５の下部に溶接固定されたベース４１に組み込まれている。
【００４６】
図５は本発明のベース４１の形状を示す図で、（ａ）は正面図と左右の側面図、（ｂ）は下面視の平面図である。図に基づいて先ずベース４１の形状を説明する。
【００４７】
図５（ａ）に示すようにベース４１は底面４１ａの両側に側板４１ｂ、側板４１ｃが立設され、一方の後端にはラチェット貫通穴４１ｇが設けられた後板４１ｄが立設されている。側板４１ｂと側板４１ｃの間は離れていて溝４１ｊが形成されている。
【００４８】
両側の側板４１ｂには部品を軸支するピンを貫入するための丸穴４１ｅと、横長穴４１ｆが設けられ、両側の側板４１ｃの外側にはバネ掛け４１ｋが設けられている。
【００４９】
図５（ｂ）に示す底面４１ａの側板４１ｃに囲まれた底面には角穴４１ｈが形成されている。
【００５０】
グリップ機構４０は、ボデー４１の丸穴４１ｅにピンで回動中心端が軸支されたグリップアーム３６と、ボデー４１の側板４１ｂの中央部に形成された横長穴４１ｆにロック板ピン４２ａで一端を軸支されたロック板４２と、ロック板４２の他端とグリップアーム３６の作用端の２箇所に跨りピンでロック可能に取付けられたレバー４３と、ロック板４２をボデー４１の横長穴４１ｆに軸支するロック板ピン４２ａとバネ掛け４１ｋ間に設けられ、ロック板ピン４２ａをボデー４１後端方向に付勢するコイルバネ４４（図１参照）と、ボデー４１に軸支されたロック板４２をボデー先端方向に押圧するラチェッボルト４５と、ラチェットボルト４５を穴端角で螺合する２枚のラチェット板４６と、溝４１ｊに嵌められた内壁板４７とラチェット板４６の間に配置されラチェット板４６をボデー後方に付勢して倒す押バネ４８と、から構成されている。  
【００５１】
ラチェット板４６は、図４（ｂ）に示すように、羽子板形状で先端に突起４６ｂが形成され、ラチェットボルト４５より０．１ｍｍ大きな径（６．１ｍｍ）の丸穴４６ａが設けられている。ラチェット板４６は２枚一組としてラチェッボルト４５を丸穴４６ａに貫通させた状態でベース４１の底面４１ａに形成された角穴４１ｈに突起４６ｂが差込まれ、押バネ４８により後方向に付勢されて倒された状態とされる。倒されることにより丸穴４６ａの穴端角がラチェッボルト４５のネジ山に螺合する状態となる。また、後方向に付勢されて倒された状態のラチェット板４６は側板４１ｃよりはみだしており操作者により垂直状態にすればラチェッボルト４５との螺合が解かれラチェッボルト４５の押込み、引き戻しが自由となる。
【００５２】
このような構成から、ラチェット板４６に設けた丸穴４６ａの穴端角に螺合したラチェットボルト４５を回転することによりロック板４２の回転支点を前後させロックした際のグリップアーム３６の作動距離をグリップする台枠２の厚さに合わせるように微調整することができる。
【００５３】
また、グリップする台枠２の厚さが大幅に変わる際には、ラチェット板４６を垂直状態に操作しラチェットボルト４５との螺合を一旦解除した状態でラチェットボルト４５を押込み或いは引戻してラチェットボルト４５とラチェット板４６の螺合位置を変えてロック板４２の回転支点を一挙に大幅に前後させて調整することができる。本発明はこのように、メーカーの相違、新製品の仕様変更による台枠変更があっても対応できる台枠厚さ調整機能を備える。
【００５４】
なお、グリップアーム３６は巻きバネ３８により先端ののこぎり波形部３６ａが開く方向に付勢されており、レバー４３をロック位置まで下ろしていない状態では、取付のため押込まれてくる台枠上板２ａとの衝突を避ける位置に保持されている。
【００５５】
後述する下部取付装置５０に用いるグリップ機構４０も同一部品を用いた同じ構造であり、ベース４１が固定されるグリップベース３５及びグリップアーム３６が別の部品に変わるのみである。
【００５６】
図６は、本発明の下部取付装置の構成を示す図で、（ａ）は正面図、（ｂ）は固定ベースの平面図、（ｃ）はプッシュ刃の底面及び正面を示す図である。
【００５７】
下部取付装置５０は、島下部枠構造２０ｂの上面にネジ留め固定させる固定ベース５１と、台枠下板２ｂの後端と当接させ島下部枠構造２０ｂへの嵌め込み位置を調節するウェルドボルト５２と、台枠下板２ｂを島下部枠構造２０ｂへ押付けるプッシュアーム５３及びそれを回動させるグリップ機構４０とから構成されている。
【００５８】
固定ベース５１は図６（ｂ）に示すように、長方形状の金属板５１ａの左片方に突出したナット搭載部５１ｂと、右中央に突出した搭載部５１ｃを有し、４個の取付穴５１ｄと１個の角穴５１ｅが形成されている。
【００５９】
固定ベース５１の金属板５１ａから搭載部５１ｃの中央の上部にはグリップ機構４０が角穴４１ｈの位置と角穴５１ｅが重なるように溶接固定される。また、ナット搭載部５１ｂには、長ナット５６が溶接固定される。
【００６０】
固定ベース５１上に固定されたグリップ機構４０は、上部取付装置３０のグリップ機構４０と同様にベース４１に、ロック板４２、レバー４３が軸支されているが、先端にはプッシュアーム５３が軸支され、レバー４３の回動によりプッシュ部５４が押下げられる構成となっている。なお、図２に示したグリップ機構４０と同じ構成については同一の符号を付して説明を省略する。
【００６１】
プッシュ部５４は、図６（ｃ）に示すように同一円周上にリング状刃を有するプッシュ刃５４ａを備え、台枠下板２ｂを上から確実に押圧して固定することができる形状になっている。
【００６２】
前記長ナット５６にはウェルドボルト５２が螺合されて島枠構造２０に嵌めこまれた枠台下板２ｂの後端と当接させることにより位置決めする。このときウェルドボルト５２を回転することにより前後させて位置調整を行うことができる。
【００６３】
プッシュアーム５３とベース４１が軸支されたピンには巻きバネ５５が取付けられ、プッシュアーム５３を開く方向に付勢され、レバー４３をロック位置まで下ろしていない状態では、取付けのため押込まれてくる台枠下板２ｂの衝突を避けル位置に保持されている。
【００６４】
図７は、本発明のパチンコ台取付装置を島枠構造に取付けた状態を示す模式図である。この図では、パチンコ台アセンブリ１０がパチンコ台取付装置１００に固定される前の状態を示している。  
【００６５】
図において上部取付装置３０は、スライドベース３１の固定用垂直面３１ｂとベースレール３２の取付穴で島枠上部構造２０ａに木ネジで固定されている。
【００６６】
スライドベース３１の縦長小判穴３１ｅと縦長穴３１ｆに取付けられたスライドボルト３３は重力で穴の下端に当たり吊下げられた状態にあり、螺合されたスライドタップ３４の下方に溶接固定されたグリップベース３５もベースレール３２より下に位置している。  
【００６７】
グリップベース３５の先端に取付けられた板バネ３７は下方にあるグリップベース３５から斜め上向きに曲げられており先端が島上部枠構造２０ａの下面に当たり台枠２が嵌め込まれる際のガイドとなっている。
【００６８】
この図で示すように、台枠２の高さが、グリップベース３５の吊下げられた位置より高ければ、その高さまでグリップベース３５が嵌め込まれた台枠２に押上げられることで、それぞれの台枠の高さに応じて高さが自動的に調整される構造とされている。
【００６９】
図８は、本発明の上部取付装置の自動高さ調整機能を説明する図で、（ａ）は台枠嵌め込み前、（ｂ）は台枠嵌め込み途中、（ｃ）は台枠嵌め込み状態を示す図である。
【００７０】
図８（ａ）は図７で説明したように、グリップベース３５が最も下方向に吊下げられた状態を示す。
【００７１】
図８（ｂ）は、台枠２が嵌め込み始められ、台枠上板２ａが板バネ３７にガイドされてグリップベース３５を先端から押上げはじめた状態を示す。
【００７２】
図８（ｃ）は、台枠上板２ａが嵌め込まれた状態であり、台枠２の高さに合わせてグリップベース３５が上に移動されている。この図ではグリップベース３５がベースレール３２と重なる位置まで上げられているが、表示の都合からグリップベース３５のみを図示し、ベースレール３２を省略している。
【００７３】
次に台枠２の厚さが大幅に変更された際の、グリップ機構４０の調整機能について説明する。
【００７４】
図９は、厚さの異なる台枠に対応した上部取付装置の調整を示す図で、（ａ）は厚さのある台枠の嵌め込み開始状態、（ｂ）は厚さのある台枠のグリップ状態、（ｃ）は薄い台枠をグリップした状態を示す図である。
【００７５】
図９（ａ）は、図８（ｂ）と同様の状態であるが、グリップ機構４０のラチェットボルト４５はロック板４２を軸支しているピンが横長穴４１ｆの右端近くになる状態にねじ込まれている。
【００７６】
図９（ｂ）は、レバー４３がロック位置まで倒され、グリップアーム３６が台枠上板２ａをグリップした状態である。
【００７７】
これに対し、台枠上板２ａの厚みが薄い場合は、図９（ｃ）に示す様に、ラチェットボルト４５を矢印方向に大きく押込み、ロック板４２を軸支しているロック板ピン４２ａが横長穴４１ｆの左端近くになる状態までねじ込まれている。これにより、ロック板４２が倒れたロック状態の際にレバー４３及びレバー４３に連結されたグリップアーム３６の回転作用点が左に移動してグリップアーム３６が大きく押上げられる。
【００７８】
ラチェットボルト４５をこのように大きく押込む場合は、ラチェットボルト４５を矢印方向に押込むと押バネ４８で斜めになるように付勢されていたラチェット板４６が正立して螺合を解除させられ、押込まれた状態で再び螺合するので、その後にラチェットボルト４５を回して微調整を行なう。なお、押込まれたラチェットボルト４５を大きく引出す際は、ラチェット板４６を手で正立させて螺合を解除した上でフリーになったラチェットボルト４５を矢印の反対方向に大きく引出し、手を離してラチェット板４６を再び螺合させる。このように本発明のグリップ機構４０はクイック調整機能を備えている。
【００７９】
図１０は、厚さの異なる台枠に対応した下部取付装置の調整を示す図で、（ａ）は厚さのある台枠の嵌め込み開始状態、（ｂ）は厚さのある台枠のグリップ状態、（ｃ）は薄い台枠をグリップした状態を示す図である。
【００８０】
図１０（ａ）は、グリップ機構４０のラチェットボルト４５はロック板４２を軸支しているロック板ピン４２ａが横長穴４１ｆの右端位置になる状態にねじ込まれている。
【００８１】
図１０（ｂ）は、レバー４３がロック位置まで倒され、プッシュアーム５３が台枠下板２ｂをグリップした状態である。
【００８２】
これに対し、台枠下板２ｂの厚みが薄い場合は、図１０（ｃ）に示す様に、ラチェットボルト４５を矢印方向に大きく押込み、ロック板４２を軸支しているロック板ピン４２ａが横長穴４１ｆの左端近くになる状態までねじ込まれている。
【００８３】
これにより、ロック板４２が倒れたロック状態の際にレバー４３及びレバー４３に連結されたプッシュアーム５３の回転作用点が左に移動してプッシュアーム５３が大きく押下げられる。
【００８４】
なお、ラチェットボルト４５このように大きく押込む場合のクイック調整機能は上部取付装置３０で説明したと同様に下部取付装置５０でも行なえる。
【００８５】
次に、パチンコ台アセンブリ１０の傾斜調整機能について説明する。パチンコ台アセンブリ１０を本発明のパチンコ台取付装置１００で島枠構造２０に固定した後、公知の傾斜測定具をパチンコ本体１或いは台枠２に当てて前後のいずれかに倒れていれば、上部取付装置３０のグリップベース３５及びグリップ機構４０全体を前後に動かすことにより台枠２の上部を傾けて所望の傾斜位置に調整する。
【００８６】
図１１は、本発明の傾斜調整機能を説明する模式図である。
【００８７】
傾斜調整は、スライドベース３１にボルトハンガー３９により前後移動が規制されて取付けられているスライドボルト３３を回転することにより、スライドボルト３３に螺合しているスライドタップ３４を前後に移動させ、それに取付けられたグリップベース３５及びグリップ機構４０全体を移動することにより行われる。
【００８８】
この調整は、ヒンジ２ｄを介してパチンコ本体１を開き前面から手を伸ばしてスライドボルト３３を回転させることとなる。この際、図１１に示すスライドボルト調整工具６０を用いれば小型電動ドライバー（図示省略）により容易に調整を行なうことができる。
【００８９】
なお、スライドボルト調整工具６０は、前面からの電動ドライバーの回転をギヤーで上方に伝達し、後ろ向きのスライドボルト３３に嵌合するアタッチメントを回転させる構造である。
【図面の簡単な説明】
【００９０】
【図１】本発明のパチンコ台取付装置１００によりパチンコ台アセンブリを取付固定した状態を示す模式図である。
【図２】本発明の上部取付装置３０の構成を示す正面図である。
【図３】本発明のスライドベースを示し、（ａ）は正面図、（ｂ）左側面図、（ｃ）は右側面図である。
【図４】本発明の部品図で、（ａ）はボルトハンガーの平面図、（ｂ）はラチェット板の平面図である。
【図５】本発明のベースの形状を示す図で、（ａ）は正面図と左右の側面図、（ｂ）は下面視の平面図である。
【図６】本発明の下部取付装置の構成を示す図で、（ａ）は正面図、（ｂ）は固定ベースの平面図、（ｃ）はプッシュ刃の底面及び正面を示す図である。
【図７】本発明のパチンコ台取付装置を島枠構造に取付けた状態を示す模式図である。
【図８】本発明の上部取付装置の自動高さ調整機能を説明する図で、（ａ）は台枠嵌め込み前、（ｂ）は台枠嵌め込み途中、（ｃ）は台枠嵌め込み状態を示す図である。
【図９】厚さの異なる台枠に対応した上部取付装置の調整を示す図で、（ａ）は厚さのある台枠の嵌め込み開始状態、（ｂ）は厚さのある台枠のグリップ状態、（ｃ）は薄い台枠をグリップした状態を示す図である。
【図１０】厚さの異なる台枠に対応した下部取付装置の調整を示す図で、（ａ）は厚さのある台枠の嵌め込み開始状態、（ｂ）は厚さのある台枠のグリップ状態、（ｃ）は薄い台枠をグリップした状態を示す図である。
【図１１】本発明の傾斜調整機能を説明する模式図である。
【符号の説明】
【００９１】
１    パチンコ本体
２    台枠
２ａ  台枠上板
２ｂ  台枠下板
２ｃ  台枠側板
２ｄ  ヒンジ
１０    パチンコ台アセンブリ
２０    島枠構造
２０ａ  島上部枠構造
２０ｂ  島下部枠構造
３０    上部取付装置
３１    スライドベース
３１ａ  下面
３１ｂ  固定用垂直面
３１ｃ  スライドボルト支持用垂直面
３１ｄ  底面中央開口
３１ｅ  縦長小判穴
３１ｆ  縦長穴
３１ｇ  底部裏側
３２    ベースレール
３３    スライドボルト
３３ａ  ボルト頭部
３３ｂ  ボルトリング
３４    スライドタップ
３４ａ  ネジ穴
３５    グリップベース
３５ａ  凹凸部
３６    グリップアーム
３６ａ  のこぎり波形部
３７    板バネ
３８    巻きバネ
３９    ボルトハンガー
３９ａ  縦長穴
４０    グリップ機構
４１    ボデー
４１ａ  底面
４１ｂ  側板
４１ｃ  側板
４１ｄ  後板
４１ｅ  丸穴
４１ｆ  横長穴
４１ｇ  ラチェット貫通穴
４１ｈ  角穴
４１ｊ  溝
４１ｋ  バネ掛け
４２    ロック板
４２ａ  ロック板ピン
４３    レバー
４４    コイルバネ
４５    ラチェットボルト
４６    ラチェット板
４６ａ  丸穴
４６ｂ  突起
４７    内壁板
４８    押バネ
５０    下部取付装置
５１    固定ベース
５１ａ  金属板
５１ｂ  ナット搭載部
５１ｃ  搭載部
５１ｄ  取付穴
５１ｅ  角穴
５２    ウェルドボルト
５３    プッシュアーム
５４    プッシュ部
５４ａ  プッシュ刃
５５    巻きバネ
６０    スライドボルト調整工具
１００    パチンコ台取付装置
【図１】
0004910154.tif 000002
【図２】
0004910154.tif 000003
【図３】
0004910154.tif 000004
【図４】
0004910154.tif 000005
【図５】
0004910154.tif 000006
【図６】
0004910154.tif 000007
【図７】
0004910154.tif 000008
【図８】
0004910154.tif 000009
【図９】
0004910154.tif 000010
【図１０】
0004910154.tif 000011
【図１１】
0004910154.tif 000012